【手続補正書】
【提出日】平成21年12月5日(2009.12.5)
【手続補正１】
【補正対象書類名】特許請求の範囲
【補正対象項目名】全文
【補正方法】変更
【補正の内容】
【特許請求の範囲】
【請求項１】
光学的に被分析物濃度を決定する装置であって、
被分析物透過成分と、
前記被分析物透過成分に担持され、第１波長で光を吸収し、第２波長で光を放出するように設定されたフルオロフォアと、
前記被分析物透過成分に担持され、前記被分析物濃度に応じて前記フルオロフォアより放出される光を調節するように設定され、ボロン酸置換ビオロゲンを含むクエンチャーと、
光源と、
検出器と、を有することを特徴とする装置。
【請求項２】
前記ボロン酸置換ビオロゲンは、芳香族ボロン酸部分を含み、さらに、前記ボロン酸置換ビオロゲンは、２以上のボロン酸部分を含む請求項１に記載の装置。
【請求項３】
前記クエンチャーは、下記の化８７または化８８に示された群から選択される前駆体から調製された請求項１または２に記載の装置。
2009519053.tif 000001
（ここで、Ｘは、臭素または塩素である。）
2009519053.tif 000002
【請求項４】
体液中の被分析物濃度を光学的に決定する装置であって、
被分析物透過成分と、
前記被分析物透過成分に担持され、第１波長で光を吸収し、第２波長で光を放出するように設定され、置換ピレンを含むフルオロフォアと、
前記被分析物透過成分に担持され、前記被分析物濃度に応じて前記フルオロフォアより放出される光を調節するように設定されたクエンチャーと、
光源と、
検出器と、を含むことを特徴とする装置。
【請求項５】
前記置換ピレンは、ピラニンスルホン酸誘導体を含む請求項４に記載の装置。
【請求項６】
前記ピラニンスルホン酸誘導体は、下記の構造式から選択される請求項５に記載の装置。
2009519053.tif 000003
（ここで、Ｒ１、Ｒ２およびＲ３は、それぞれ‐ＮＨＲ４であり、Ｒ４は、−ＣＨ２−ＣＨ２（−Ｏ−ＣＨ２−ＣＨ２）ｎ−Ｘ１であり、Ｘ１は、−ＯＨ、−ＯＣＨ３、−ＣＯ２Ｈ、−ＣＯＮＨ２、−ＳＯ３Ｈまたは−ＮＨ２であり、そして、ｎは、約７０〜１０，０００である。）
【請求項７】
前記被分析物透過成分は、ポリマーマトリックスを含む請求項１ないし６のいずれかに記載の装置。
【請求項８】
前記ポリマーマトリックスは、ヒドロゲルである請求項７に記載の装置。
【請求項９】
前記ヒドロゲルは、親水性モノマーの重合体、あるいは、架橋結合された親水性モノマーの重合体によって構成され、
前記親水性モノマーは、２−ヒドロキシエチル−メタアクリレート、ポリエチレングリコールメタクリレート、メタクリル酸、ヒドロキシエチルアクリレート、Ｎ−ビニルピロリドン、アクリルアミド、Ｎ，Ｎ‘−ジメチルアクリルアミド、メタアクリルアミノプロピルトリメチルアンモニウムクロライド、ジアリルジメチルアンモニウムクロライド、およびソジウムスルホプロピルメタクリレートからなる群より選択される１種またはこれらの組合せであり、
前記架橋結合された親水性モノマーの重合体は、エチレンジメタクリレート、ＰＥＧＤＭＡ、メチレン−ビス−アクリルアミド、およびトリメチロールプロパントリアクリレートおよびこれらの組合せから選択される架橋剤を任意に含む請求項８に記載の装置。
【請求項１０】
前記ポリマーマトリックスは、ＨＰＴＳ(Ｌｙｓ−ＭＡ)３、ＨＰＴＳ−ＭＡ、ＨＰＴＳ−ＣＯ２−ＭＡ、ＡＰＴＳ−ＢｕＭＡ、およびＡＰＴＳ−ＤｅｇＭＡからなる群より選択されるモノマーから調製された請求項７ないし９のいずれかに記載の装置。
【請求項１１】
前記ポリマーマトリックスは、ＨＥＭＡとポリエチレングリコールジメタクリレートとのコポリマー、または、Ｎ,Ｎ‘−ジメチルアクリルアミドとメチレンビスアクリルアミドとのコポリマーを含む請求項７ないし９のいずれかに記載の装置。
【請求項１２】
前記被分析物透過成分は、前記フルオロフォアおよび前記クエンチャーを保持する膜を含む請求項１ないし１１のいずれかに記載の装置。
【請求項１３】
前記被分析物透過成分は、量子ドットを含む請求項１ないし１２のいずれかに記載の装置。
【請求項１４】
前記被分析物透過成分は、ＨＥＭＡ，ＰＥＧＭＡ，メタクリル酸、ヒドロキシエチルアクリレート、Ｎ−ビニルピロリドン、アクリルアミド、Ｎ，Ｎ’−ジメチルアクリルアミド，メタアクリロイルアミノプロピルトリメチルアンモニウムクロライド、ジアリルジメチルアンモニウムクロライド、ビニルベンジルトリメチルアンモニウムクロライド、およびソディウムスルホプロピルメタアクリレートからなる群より選択されるモノマーと、
エチレンジメタクリレート、ＰＥＧＤＭＡ、メチレンビスアクリルアミド、トリメチルロールプロパントリアクリレート、またはこれらの組合せを含む架橋剤とで重合されたポリマーを含む請求項１ないし１３のいずれかに記載の装置。
【請求項１５】
前記クエンチャーは、前記被分析物と結合するように、さらには前記フルオロフォアから放出される光を減少させるように構成され、該減少量は前記被分析物が前記クエンチャーに結合した量と逆相関するように構成されている請求項１ないし１４のいずれかに記載の装置。
【請求項１６】
前記被分析物は、ポリヒドキシル置換の有機分子を含む請求項１ないし１５のいずれかに記載の装置。
【請求項１７】
前記被分析物は、グルコースである請求項１ないし１６のいずれかに記載の装置。
【請求項１８】
前記光源は、青色発光ダイオードである請求項１ないし１７のいずれかに記載の装置。
【請求項１９】
第１波長で光を吸収し、第２波長で光を放出するように構成されたフルオロフォアと、
被分析物濃度に応じて前記フルオロフォアより放出される光を調節するように構成され、ボロン酸置換ビオロゲンを含むクエンチャーと、を含むことを特徴とするセンサー。
【請求項２０】
第１励起波長で光を吸収し、第２発光波長で発光するように設定され、ピレン誘導体を含むフルオロフォア色素と、
被分析物に結合するように設定され、前記フルオロフォア色素と連係したクエンチャーと、を含み、
前記クエンチャーは、前記被分析物との結合に相関して、前記フルオロフォア色素より放出される発光光を調節するように設定されていることを特徴とするセンサー。
【請求項２１】
さらに、生体適合性のある被覆物を有する請求項１９または２０に記載のセンサー。
【請求項２２】
試料中の被分析物の濃度を光学的に決定する方法であって、
前記試料を、請求項１９ないし２１のいずれかに記載のセンサーに接触させる工程と、
前記センサーに光を照射する工程と、
前記センサーからの放出光を検出する工程と、
前記検出された放出光に基づいて、前記被分析物の濃度を決定する工程と、を含むことを特徴とする方法。
【請求項２３】
前記試料は、哺乳動物の体液である請求項２２に記載の方法。
【請求項２４】
前記試料を前記センサーに接触させる工程は、さらに、前記センサーを皮下に埋め込むこと、または、前記センサーを血管内に挿入することを含む請求項２２または２３に記載の方法。
【請求項２５】
ジピリジルをアリールボロン酸を含むアルキル化剤に反応させ、Ｎ，Ｎ’−ビス−ベンジルボロン酸ビオロゲンを生成する工程と、
ビオロゲンによって制光可能なフルオロフォアと、前記Ｎ，Ｎ’−ビス−ベンジルボロン酸ビオロゲンとを結合する工程と、を含むことを特徴とするセンサーの製造方法。
【請求項２６】
前記アルキル化剤は、ハロメチルフェニルボロン酸であり、該ハロはブロモまたはクロロである請求項２５に記載の製造方法。
【請求項２７】
下記化９０または化９１に記載の化学式から選択される化合物。
2009519053.tif 000004
（ここで、ｍおよびｎは、それぞれ１〜６で定義され、遊離酸、またはそれらの共役塩である。）
2009519053.tif 000005
（ここで、ｍおよびｎは、それぞれ、１であり、遊離酸、またはそれらの共役塩である。）
【請求項２８】
下記に示される化合物。
2009519053.tif 000006